(57)【要約】【課題】  通信事務内容と一緒に宣伝広告内容も伝達できるにも関わらず封筒への用紙の封入封緘作業が不要な通信広告冊子のプリントシステムを提供しようとするもの。【解決手段】  通信事務内容と宣伝広告内容とを含むプリントイメージデータをコンピュータで編成し、前記プリントイメージデータは編成された内容を複数種の用紙に対して設定された順番で順次プリントするための複数種の用紙カセットの選択制御情報を伴い、前記カセット選択制御情報に応じて用紙カセットから順に給紙してプリントすると共に、プリントすべき前記複数種の用紙相互間の接合箇所には感圧接着剤３が予め付着されている。【選択図】  図１
2006315255.tif 000002
【特許請求の範囲】
【請求項１】
通信事務内容と宣伝広告内容とを含むプリントイメージデータをコンピュータで編成し、前記プリントイメージデータは編成された内容を複数種の用紙に対して設定された順番で順次プリントするための複数種の用紙カセットの選択制御情報を伴い、前記カセット選択制御情報に応じて用紙カセットから順に給紙してプリントすると共に、プリントすべき前記複数種の用紙相互間の接合箇所には感圧接着剤（３）が予め付着されていることを特徴とする通信広告冊子のプリントシステム。
【請求項２】
前記複数種の用紙は冊子受取り後に開封接着領域（５）を剥がすための指がかりを補助する階段状端差部（６）が形成されるように外周形状を異ならしめている請求項１記載の通信広告冊子のプリントシステム。
【請求項３】
連接２面の内容が配置されるサイズの用紙にプリントし、前記用紙を２つに折り曲げてプレスするようにした請求項１又は２記載の通信広告冊子のプリントシステム。
【請求項４】
前記通信事務内容をプリントする濃度を、前記宣伝広告内容をプリントする濃度の最高濃度の９０％以下に設定した請求項１乃至３のいずれかに記載の通信広告冊子のプリントシステム。
【発明の詳細な説明】
【技術分野】
【０００１】
この発明は、通信事務内容と一緒に宣伝広告内容も伝達できる通信広告冊子のプリントシステムに関するものである。
【背景技術】
【０００２】
従来より、各種カードの利用明細・請求書等の通信事務印刷物について、複数枚の納付書等をプリント後、一度にブッキングと封入封緘をし、税納付書の製造、封入封閉、発送までを一貫処理する封入システムや（例えば、特許文献１参照）、２葉又は３葉から成る圧着郵便はがきなどが広く使用されている。いずれも送付先への通信データを連続用紙に出力し、データが印刷された連続用紙を専用の圧着装置で処理することにより送付先への通信事務内容が外部へは非表示として発送できる態様に簡便に形成することができる。
【０００３】
ところで、前記通信事務と一緒に商業広告として宣伝広告内容も伝達できると効率的である。この際、通信事務のような味気ない文字情報だけでなく写真・イメージデータなどを盛り込むと訴求力が高まる。用紙サイズもはがきサイズではなくＡ４版サイズなどのより大きなサイズとし、しかも送付先の状況に応じて枚数を可変できると便利である。これらの内容はコンピュータを用い、カラープリンタを介してＡ４版サイズなどで（両面）出力することができる。
【０００４】
しかし、前記のようにプリンタでプリントした用紙はそのままでは送付できず、封筒へ封入する封緘作業が必要となる。すなわち、従来の圧着郵便はがきなどのように簡便な処理で送付できる形態とはできないという問題があった。
【特許文献１】特開平９−１６４６１１号公報（図４）
【発明の開示】
【発明が解決しようとする課題】
【０００５】
そこでこの発明は、通信事務内容と一緒に宣伝広告内容も伝達できるにも関わらず封筒への用紙の封入封緘作業が不要な通信広告冊子のプリントシステムを提供しようとするものである。
【課題を解決するための手段】
【０００６】
前記課題を解決するためこの発明では次のような技術的手段を講じている。
(１)この発明の通信広告冊子のプリントシステムは、通信事務内容と宣伝広告内容とを含むプリントイメージデータをコンピュータで編成し、前記プリントイメージデータは編成された内容を複数種の用紙に対して設定された順番で順次プリントするための複数種の用紙カセットの選択制御情報を伴い、前記カセット選択制御情報に応じて用紙カセットから順に給紙してプリントすると共に、プリントすべき前記複数種の用紙相互間の接合箇所には感圧接着剤が予め付着されていることを特徴とする。
【０００７】
この通信広告冊子のプリントシステムによると、コンピュータ（パソコン等）で編成した通信事務内容と宣伝広告内容（コンテンツ）とを含むプリントイメージデータは、編成された内容を複数種の用紙に対して設定された順番で順次プリントするための複数種の用紙カセットの選択制御情報を伴うので、送付する際の外装となる表面と裏面の用紙種にはこれに応じた大きさや紙質の用紙を選択して給紙することができる。なお旧来からの郵便による郵送と共に民間の所謂メール便を利用した配信・送付も急速に普及しており、前記送付とは郵便による郵送とメール便を利用した配信その他の新しいサービス形態を総称する。
【０００８】
また、カセット選択制御情報に応じて用紙カセットから順に給紙してプリントすると共にプリントすべき前記複数種の用紙相互間の接合箇所には感圧接着剤が予め付着されているので、通信事務内容と一緒に宣伝広告内容もプリントされた用紙は積層された状態でそのままの順番を維持してプレスし感圧接着剤（プレス前のプリント時等には接着性は発揮されない）を接着させることにより簡単に冊子状に製本することができ送付可能な形態とすることができる。
【０００９】
（２）上記コンテンツとは、方形のエリア内に通信事務内容（通知データ）と宣伝広告内容（絵柄データ）の片方又は両方がレイアウトされた情報群であり、１冊の通信広告冊子を形成するデータの単位等をいう。前記通知データとは、数字や文字情報からなる個人や法人の個別のコンピュータデータ等をいう。前記絵柄データとは、個人や法人の個別の通知データと関連付けされており、想定描画区画への配置位置情報を伴う図版、写真、文字等から構成される描画用のコンピュータデータなどをいう。
【００１０】
上記プリントイメージデータ（ＰＩＤ）とは、プリンタを制御するプリンタ制御部が頁単位で逐次処理をすることにより連続的にプリント出力できるように編成された複数のコンテンツからなるデータ群等をいい、コンテンツを面付けしたり用紙カセットを選択したりする制御用の情報が別ファイルの場合も含む。
【００１１】
上記プリンタとはプリンタ制御部、給紙部、印字部、排紙部からなり、プリンタ制御部がＰＩＤを受け取り、前記ＰＩＤを逐次的に解釈し給紙部、印字部、排紙部を制御して選択された用紙種（方形に裁断されたカット紙等）にコンテンツを出力する描画装置等をいう。前記給紙部とは、プリンタ制御部からの指令に応じて用紙を１枚づつ取り出して印字部に供給する用紙カセットが複数で構成され（複数種の用紙に対応する）、プリンタ制御部がこの用紙カセットから選択して指令できるものなどをいう。前記印字部とはプリンタ制御部から指令されたコンテンツデータを受け取り、給紙部から供給された用紙の片面又は両面にコンテンツを視認用に描画するものなどをいう。
【００１２】
すなわち、コンピュータを用いて個人や法人に個別に関連付けられたコンテンツをＰＩＤとして編成し、このＰＩＤをＰＯＤ（プリントオンデマンド）によってプリントすることにより、可変対応が可能（小ロットにも対応が可能）な通信広告冊子を作成することができる。前記宣伝広告の内容として、過去のコンピュータデータ（物品購入履歴など）により送付先の個別の嗜好に合致した内容を選択すると効果的であり、前記ＰＩＤの中に写真等も可変処理して挿入することによって訴求力を高め宣伝広告効果をより向上させることができる。
【００１３】
(３) 前記複数種の用紙は冊子受取り後に開封接着領域を剥がすための指がかりを補助する階段状端差部が形成されるように外周形状を異ならしめていることとしてもよい。
【００１４】
このように構成すると、この通信広告冊子を開封する際には階段状端差部に指をかけて開封接着領域を剥がすことにより冊子状に開いて内容を視認することができる。ここで上記感圧接着剤によってプレス後には隣接する用紙が相互に接着されるが、前記開封接着領域については用紙を大きく損傷させないで容易に剥がすことができると共に意図的な剥離動作をしなければ接着を維持できるような擬似接着とする。
【００１５】
(４) 連接２面の内容が配置されるサイズの用紙にプリントし、前記用紙を２つに折り曲げてプレスするようにしたこととしてもよい。
【００１６】
このように構成すると、例えばＡ３版サイズにプリントして略中央で２つに折り曲げた状態でプレスし接着することより、Ａ４版サイズの通信広告冊子を形成することができる。
【００１７】
（５）前記通信事務内容をプリントする濃度を、前記宣伝広告内容をプリントする濃度の最高濃度の９０％以下に設定したこととしてもよい。
【００１８】
このように、より重要な伝達事項である通信事務内容のプリントの濃さを宣伝広告内容のプリントの濃さよりも意図的に少し薄く設定することにより、通信事務内容の文字情報を宣伝広告内容の絵柄データから明確に区別して視覚的に把握でき易くすることができる。
【発明の効果】
【００１９】
この発明は上述のような構成であり、次の効果を有する。
【００２０】
送付する際の外装となる表面と裏面の用紙種にはこれに応じた大きさや紙質の用紙を選択して給紙することができると共に、通信事務内容と一緒に宣伝広告内容もプリントされた用紙は積層された状態でそのままの順番を維持してプレスし感圧接着剤を接着させることにより簡単に冊子状に製本することができ送付可能な形態とすることができるので、通信事務内容と一緒に宣伝広告内容も伝達できるにも関わらず封筒への用紙の封入封緘作業が不要な通信広告冊子のプリントシステムを提供することができる。
【発明を実施するための最良の形態】
【００２１】
以下、この発明の実施の形態を図面を参照して説明する。
【００２２】
この実施形態の通信広告冊子１（商品カタログ）のプリントシステムでは、通信事務内容（各種カードの利用明細・請求書等）と宣伝広告内容（商品説明等）とを含むプリントイメージデータ（ＰＩＤ）を、先ずコンピュータ（パソコン等）で編成するようにしている。上記プリントイメージデータは、プリンタ制御部が頁単位で逐次処理をすることにより連続的にプリント出力できるように編成された複数のコンテンツからなるデータ群をいい、コンテンツを面付けしたり複数の用紙カセットを選択したりする制御用の情報が別ファイルの場合も含む。
【００２３】
図１乃至図３に示すように、この通信広告冊子１は、表表紙ａと中紙ｂと裏表紙ｃの３葉の用紙から２葉又は３葉が選択されるようにしている。前記表表紙ａの表面側には、ＤＭとしての宛名情報記載領域２を有する。図１及び図２は表表紙ａと中紙ｂと裏表紙ｃの３葉の用紙の全てを選択して構成した場合を示し、図３は前記３葉のうち中紙ｂが選択されず表表紙ａと裏表紙ｃの２葉の用紙で構成した場合を示す。以前にＤＭとして中紙ｂを送付したことがある場合に２回目以後は、図３のように中紙ｂは選択しないこととすることができる。
【００２４】
前記プリントイメージデータは、編成された内容を複数種の用紙（表表紙ａ、中紙ｂ、裏表紙ｃ）に対して設定された順番で順次プリントするための複数種の用紙カセットの選択制御情報を伴う。前記用紙カセットとして、表表紙ａ用の用紙カセット、中紙ｂ用の用紙カセット、裏表紙ｃ用の用紙カセットを有する（図示せず）。そして、カセット選択制御情報に応じて、前記各用紙カセットから順に給紙してプリントする。
【００２５】
プリントすべき前記複数種の用紙（表表紙ａ、中紙ｂ、裏表紙ｃ）相互間の接合箇所には、感圧接着剤３（プレス前のプリント時等には接着性は発揮されない）が予め付着されている。表表紙ａの表面側と裏表紙ｃの裏面側には、感圧接着剤は不要であるので付着させていない。接着剤面のパターンとして、綴じ辺４では線状に形成し（強い接着強度が得られるように設定している）、その対向辺の開封接着領域５は複数の円状に形成しているが（易開封となるように設定している）、冊子の形状等に応じて適宜設定することが可能である。上記感圧接着剤３によってプレス後には隣接する用紙が相互に接着されるが、前記開封接着領域５については用紙を大きく損傷させないで容易に剥がすことができると共に意図的な剥離動作をしなければ接着を維持できるような擬似接着としている。
【００２６】
前記複数種の用紙（表表紙ａ、中紙ｂ、裏表紙ｃ）は、冊子受取り後に開封接着領域５を剥がすための指がかりを補助する階段状端差部６が形成されるように外周形状を異ならしめており、前記階段状段差部は、綴じ辺４の対向辺の角部のカット部の大きさが表面側から裏面側に向けて段階的に小さくなるように設定している。具体的には、裏表紙ｃとなる用紙を除いて（裏表紙ｃには指がかり用の切り込みはない）、綴じ辺４の対向辺の下方の角部が３ｍｍから２０ｍｍの辺を持つ概略三角形として切り取られた各葉を用いている。
【００２７】
そして、前記用紙が冊子の構成ページ順に積層された状態でプレスすることにより、綴じ辺４とその対向辺の開封接着領域５の感圧接着剤３を接着させて冊子状に形成する。表表紙ａと裏表紙ｃは冊子の外装面となり、全体として送付するための封書として機能する。
【００２８】
なお、上記コンテンツとは、方形のエリア内に通信事務内容（通知データ）と宣伝広告内容（絵柄データ）の片方又は両方がレイアウトされた情報群であり、１冊の通信広告冊子１を形成するデータの単位をいう。前記通知データは、数字や文字情報からなる個人や法人の個別のコンピュータデータをいう。前記絵柄データは、個人や法人の個別の通知データと関連付けされており、想定描画区画への配置位置情報を伴う図版、写真、文字等から構成される描画用のコンピュータデータをいう。
【００２９】
また、プリンタはプリンタ制御部、給紙部、印字部、排紙部からなり、プリンタ制御部がＰＩＤを受け取り、前記ＰＩＤを逐次的に解釈し給紙部、印字部、排紙部を制御して選択された用紙種（方形に裁断されたＡ４版サイズのカット紙。表表紙ａ、中紙ｂ、裏表紙ｃ）にコンテンツを出力する描画装置をいう。前記給紙部とは、プリンタ制御部からの指令に応じて用紙を１枚づつ取り出して印字部に供給する用紙カセットが複数（表表紙ａ用、中紙ｂ用、裏表紙ｃ用の３個）で構成され、プリンタ制御部がこの３個の用紙カセットから選択して指令できるものをいう。前記印字部とはプリンタ制御部から指令されたコンテンツデータを受け取り、給紙部から供給された用紙の片面又は両面にコンテンツを視認用に描画するものをいう。
【００３０】
次に、この実施形態の通信広告冊子のプリントシステムの使用状態を説明する。
【００３１】
この通信広告冊子１のプリントシステムによると、コンピュータで編成した通信事務内容と宣伝広告内容とを含むプリントイメージデータは、編成された内容を複数種の用紙（表表紙ａ、中紙ｂ、裏表紙ｃ）に対して設定された順番で順次プリントするための複数種の用紙カセット（表表紙ａ用、中紙ｂ用、裏表紙ｃ用）の選択制御情報を伴うので、例えば送付する際の外装となる表面（表表紙ａ）と裏面（裏表紙ｃ）の用紙種にはこれに応じた大きさや紙質の用紙を選択して給紙することができる。
【００３２】
また、カセット選択制御情報に応じて用紙カセット（表表紙ａ用、中紙ｂ用、裏表紙ｃ用）から順に給紙してプリントすると共にプリントすべき前記複数種の用紙（表表紙ａ、中紙ｂ、裏表紙ｃ）相互間の接合箇所には感圧接着剤３が予め付着されているので、通信事務内容と一緒に宣伝広告内容もプリントされた用紙は積層された状態でそのままの順番を維持してプレスし感圧接着剤３を接着させることにより簡単に冊子状に製本することができ送付可能な形態とすることができる。
【００３３】
すなわち、コンピュータを用いて個人や法人に個別に関連付けられたコンテンツをＰＩＤとして編成し、このＰＩＤをＰＯＤ（プリントオンデマンド）によってプリントすることにより、可変対応が可能（小ロットにも対応が可能）な通信広告冊子１を作成することができる。前記宣伝広告の内容として、過去のコンピュータデータ（物品購入履歴など）により送付先の個別の嗜好に合致した内容を選択すると効果的であり、前記ＰＩＤの中に写真等も可変処理して挿入することによって訴求力を高め宣伝広告効果をより向上させることができる。
【００３４】
前記複数種の用紙（表表紙ａ、中紙ｂ、裏表紙ｃ）は冊子受取り後に開封接着領域５を剥がすための指がかりを補助する階段状端差部６が形成されるように外周形状を異ならしめており、この通信広告冊子１を開封する際には階段状端差部６に指をかけて開封接着領域５を剥がすことにより冊子状に開いて内容を視認することができる。
【００３５】
前記階段状段差部は綴じ辺４の対向辺の角部のカット部の大きさが表面側から裏面側に向けて段階的に小さくなるように設定しており、表面側の頁から順次開封していく際にめくり易い。また、角部の階段状段差部以外は各葉を同形状とすることができるので、冊子状に一体化したときに積層された冊子の強度を全体として保持し易く、これによってより重要な（秘密性が高い）情報を送付する場合にも途中における破損事故などを抑制することができる。また、冊子としての強度を保持し易いので、より薄い紙でも形成することが可能となる。さらに角部以外は各葉とも同形状・同サイズとすることができるので、プリントオンデマンド（デジタルデータを製版工程を経ずに直接プリントする。ＰＯＤ）でプリントする場合にもプリンタのセッティングが容易である。すなわち、例えばＡ４版の場合、角部をカットした用紙を複数種用意すればよく、プリンタの用紙カセットとして定型サイズのものをそのまま使用することができる。
【実施例】
【００３６】
次に、この発明の他の構成を具体的に説明する。
【００３７】
通信広告冊子１として、図３乃至図５に示すようなＡ４版サイズの４葉構成（表表紙ａ、中紙ｂ１、ｂ２、裏表紙ｃ）の商品カタログを形成した。この商品カタログの表表紙ａの表面側には、ＤＭとしての宛名情報記載領域２を有する。
【００３８】
この商品カタログは、通信事務内容と宣伝広告内容とを含むプリントイメージデータをコンピュータで編成し、前記プリントイメージデータは編成された内容を複数種の用紙（表表紙ａ、中紙ｂ１、ｂ２、裏表紙ｃ）に対して設定された順番で順次プリントするための複数種の用紙カセット（表表紙ａ用、中紙ｂ１、ｂ２用、裏表紙ｃ用）の選択制御情報を伴い、前記カセット選択制御情報に応じて用紙カセットから順に給紙してプリントする。これに従い、綴じ辺４とその対向辺の接着箇所に感圧接着剤３が予め塗布されている４枚のＡ４版の用紙に両面カラー・プリントした。
【００３９】
前記複数種の用紙（表表紙ａ、中紙ｂ１、ｂ２、裏表紙ｃ）は、冊子受取り後に開封接着領域５を剥がすための指がかりを補助する階段状端差部６が形成されるように外周形状を異ならしめていると共に、前記階段状段差部は、綴じ辺４と対向辺との間の幅が表面側から裏面側に向けて段階的に長くなるように設定している。また前記用紙は、裏表紙ｃとして切り取りミシン線で切り出せるように区画された返信用はがき７を含むようにしている。
【００４０】
前記通信事務内容をプリントする濃度は、宣伝広告内容をプリントする濃度の最高濃度の９０％以下に設定しており、より重要な伝達事項である通信事務内容のプリントの濃さを宣伝広告内容のプリントの濃さよりも意図的に少し薄く設定することにより、通信事務内容の文字情報を宣伝広告内容の絵柄データから明確に区別して視覚的に把握でき易くすることができる。また、前記通信事務内容の文字をドット状にプリントすると通信事務であることを一目で理解し易い。なお、プリンタの消耗品である印字用のインクやトナーの使用量を節約できるという利点もある。
【００４１】
前記感圧接着剤３は、接着箇所では対面する用紙の双方に塗布している。冊子の綴じ辺４では強い接着強度が得られるように設定しており、その対向辺では易開封となるように設定している。なお、表表紙ａの表面側と裏表紙ｃの裏面側には感圧接着剤３は塗布していないが、中紙ｂ１、ｂ２は両面に感圧接着剤３を塗布している。ここで開封時の用紙の表面紙ムケ事故をケアするために、開封部の接着剤と用紙の間に透明インクで膜を形成しておくことも有効である。また、このインクにシリコン等離型作用の強い物質が多く配合されたものを選択することも有効である。前記感圧接着剤３として、水性エマルジョンタイプの天然ゴム主成分のラテックス系のもの（サイデン化学社製、商品名ＭＵＸ−１０１）を用いた。
【００４２】
そして、プリントされた用紙が冊子の構成ページ順に積層された状態でプレスして接着させ、平綴じして接着することによりＡ４版サイズの４葉構成の通信広告冊子１を形成した。なお、平綴じではなく、冊子の綴じ辺４となる接着箇所に感圧接着剤が予め塗布されているＡ３版（Ａ４版の倍の連接２面の内容が配置されるサイズ）の２枚の用紙に両面カラー・プリントし、これを略中央で２つに折り曲げ、中綴じしてプレスし接着することによってもＡ４サイズの４葉の通信広告冊子１を形成することもできる。
【００４３】
次に、この通信広告冊子１のプリントシステムの使用状態を説明する。
【００４４】
コンピュータで編成した通信事務内容と宣伝広告内容とを含むプリントイメージデータは、編成された内容を複数種の用紙（表表紙ａ、中紙ｂ１、ｂ２、裏表紙ｃ）に対して設定された順番で順次プリントするための複数種の用紙カセット（表表紙ａ用、中紙ｂ１、ｂ２用、裏表紙ｃ用）の選択制御情報を伴い、例えば送付する際の外装となる表面（表表紙ａ）と裏面（裏表紙ｃ）の用紙種にはこれに応じた大きさや紙質の用紙を選択して給紙することができる。すなわち、表表紙ａと裏表紙ｃに対して中紙ｂ１、ｂ２として異なる種類のものを用い冊子として１辺縁で接着して連結しており、Ａ４版サイズで封筒を兼用する外装の用紙（表表紙ａと裏表紙ｃ）と通知データや絵柄データの用紙（中紙ｂ１、ｂ２）としてそれぞれ適当なものを選択することができる。
【００４５】
また、カセット選択制御情報に応じて用紙カセット（表表紙ａ用、中紙ｂ１、ｂ２用、裏表紙ｃ用）から順に給紙してプリントすると共にプリントすべき前記複数種の用紙（表表紙ａ、中紙ｂ１、ｂ２、裏表紙ｃ）相互間の接合箇所には感圧接着剤３が予め付着されているので、通信事務内容と一緒に宣伝広告内容もプリントされた用紙は積層された状態でそのままの順番を維持してプレスし感圧接着剤３を接着させることにより簡単に冊子状に製本することができ送付可能な形態とすることができる。
【００４６】
さらに前記階段状段差部は、綴じ辺４と対向辺との間の幅が表面側から裏面側に向けて段階的に長くなるように設定しており、表面側の頁から順次開封していく際にめくり易い。また、端差部は開封指がかりになると同時に、該当頁のインデックスとして利用することにより内容の確認を容易に行うことができる。例えば通信事務内容として請求書を送付する場合、２葉目の段差部に「ご利用明細」と表示し、３葉目の段差部に「キャンペーンのご案内」と表示し、４葉目の段差部に「申込方法について」と表示すると（図示せず）、冊子の内容を表面から一目で把握することができる（なお、冊子の１葉目は外面から視認できるからインデックスは表示しなくてもよい）。
【００４７】
また前記用紙は、裏表紙ｃとして切り取りミシン線で切り出せるように区画された返信用はがき７を含むようにしており、送付する宣伝広告の内容に対応した返信用の申し込みはがき７や申し込み用封書（図示せず）が添付された態様とすることができる。
【産業上の利用可能性】
【００４８】
通信事務内容と一緒に宣伝広告内容も伝達できるにも関わらず封筒への用紙の封入封緘作業が不要なことによって、種々の通信広告冊子のプリントシステムの用途に適用することができる。
【図面の簡単な説明】
【００４９】
【図１】この発明の通信広告冊子のプリントシステムの実施形態（３葉を選択）を説明する図。
【図２】図１の通信広告冊子を詳細に説明する図。
【図３】この発明の通信広告冊子のプリントシステムの実施形態の他の態様（２葉を選択）を説明する図。
【図４】この発明の通信広告冊子のプリントシステムの実施例で表表紙から見た状態を説明する斜視図。
【図５】この発明の通信広告冊子のプリントシステムの実施例で裏表紙から見た状態を説明する斜視図。
【図６】図４の通信広告冊子の階段状段差部の断面図。
【符号の説明】
【００５０】
３  感圧接着剤
５  開封接着領域
６  階段状端差部
【図１】
2006315255.tif 000003
【図２】
2006315255.tif 000004
【図３】
2006315255.tif 000005
【図４】
2006315255.tif 000006
【図５】
2006315255.tif 000007
【図６】
2006315255.tif 000008